(57)【要約】【課題】  金属を使用した場合においても、不織布やゴム手袋が引っ掛かることなく、適正に各種の試験を実行することが可能な試験容器用ラックを提供する。【解決手段】  試験容器用ラックは、一対の支持用無端状部材１間に、一対の支持領域形成用無端状部材２を配置して遠沈管９を支持するためのユニットを構成し、このユニットを複数個列設する状態で溶接により接合した構成を有する。この試験容器用ラックは、ユニットを２個列設する状態で溶接することにより、６本の遠沈管を支持可能としている。【選択図】        図１
2018075548.tif 000002
【特許請求の範囲】
【請求項１】
複数の試験容器を支持するための試験容器用ラックであって、
金属の線材の端部を接合し、複数の屈曲部を形成することにより作成された複数の無端状部材から構成され、
当該複数の無端状部材を組み合わせて接合することにより、前記試験容器を挿入可能な案内部と、当該案内部の下方に配置され前記試験容器の下端部を載置するための載置部と、から構成される前記試験容器の支持領域を、複数個形成したことを特徴とする試験容器用ラック。
【請求項２】
請求項１に記載の試験容器用ラックにおいて、
前記案内部は一辺が前記試験容器の最大外径より大きな略四角形の領域から構成されるとともに、前記載置部は一辺が前記試験容器の最大外径より小さな略四角形の領域から構成される試験容器用ラック。
【請求項３】
請求項２に記載の試験容器用ラックにおいて、
同一形状を有する一対の支持用無端状部材間に、同一形状を有する一対の支持領域形成用無端状部材を配置したユニットを、複数個列設する状態で接合する試験容器用ラック。
【発明の詳細な説明】
【技術分野】
【０００１】
この発明は、複数の試験容器を支持するための試験容器用ラックに関する。
【背景技術】
【０００２】
遠沈管や試験管等の試験容器は、各種の試験を実行するときに、内容物を収納した状態で一時的に支持する必要がある。特許文献１には、複数の遠沈管を列設した状態で一括して保持する遠沈管ラックが開示されている。
【０００３】
また、特許文献２には、樹脂製の試験管ラックを射出成型等の方法で作成する点が開示されており、特許文献３には、試験管を支持するためのユニットラックを、プラスチックをブロー成型して製造する点が開示されている。
【０００４】
しかしながら、遠沈管や試験管等の試験容器を支持する試験容器用ラックに対しては、病原体などを死滅させる滅菌処理を行う必要がある。このような滅菌処理としては、例えば、内部を飽和蒸気によって高温高圧にするオートクレーブによる滅菌、過酸化水素ガスを利用した燻蒸による滅菌、紫外線による滅菌等がある。また、試験容器用ラックを、アルコールを含有させた不織布により払拭することも行われる。このような滅菌を行うためには、試験容器用ラックは、特許文献１や特許文献２に記載されたような樹脂製ではなく、金属製とすることが好ましい。
【０００５】
図５は、金属により構成された従来の試験容器用ラックの斜視図である。
【０００６】
この試験容器用ラックは、鋼棒（金属製の線材）を溶接することにより構成されたものである。この試験容器用ラックは、一対の矩形状の支持枠１１と、これらの支持枠１１の下方において各支持枠１１に両端を支持された２本の鋼棒１３と、これらの鋼棒１３間に架け渡された４本の鋼棒１４と、一対の支持枠１１間に架け渡された４本の鋼棒１２と、同一高さ位置にある一対の鋼棒１２間に架け渡された８本の鋼棒１５と、鋼棒１５の下方に配設された２本の鋼棒１６とから構成される。
【０００７】
この従来の試験容器用ラックにおいては、鋼棒１２および鋼棒１５により形成される矩形状の領域が試験容器を挿入するための案内部を構成し、鋼棒１４間の領域が試験容器の下端部を載置するための載置部を構成する。
【先行技術文献】
【特許文献】
【０００８】
【特許文献１】実公平３−７８１８号公報
【特許文献２】特開２０１４-２０６４４３号公報
【特許文献３】実開平５−１９９５９号公報
【発明の概要】
【発明が解決しようとする課題】
【０００９】
上述したように、試験容器用ラックは、アルコールを含有させた不織布により払拭することが行われている。また、試験容器を操作するときには、実験用のゴム手袋が使用される。
【００１０】
このとき、図５に示す従来の金属製の試験容器用ラックにおいては、鋼棒１２、１３、１４、１５、１６の両端面に不織布やゴム手袋が引っ掛かるという問題が生ずる。不織布が鋼棒１２、１３、１４、１５、１６の両端面に引っ掛かった場合には、繊維屑が発生し、実験結果に悪影響を及ぼす。また、ゴム手袋が鋼棒１２、１３、１４、１５、１６の両端面に引っ掛かった場合には、ゴム手袋に穴があくという問題が生ずる。
【００１１】
なお、鋼棒（金属製の線材）にかえて金属板を使用した場合においても、金属板の端縁部分に不織布やゴム手袋が引っ掛かるという問題が生ずることは、図５に示す従来の金属製の試験容器用ラックと同様である。また、金属板を使用した場合においては、過酸化水素ガスを利用した燻蒸等のように、液体を使用して滅菌を行ったときに、金属板面に液体が溜まる可能性があるという問題も生ずる。
【００１２】
この発明は上記課題を解決するためになされたものであり、金属を使用した場合においても、不織布やゴム手袋が引っ掛かることなく、適正に各種の試験を実行することが可能な試験容器用ラックを提供することを目的とする。
【課題を解決するための手段】
【００１３】
請求項１に記載の発明は、複数の試験容器を支持するための試験容器用ラックであって、金属の線材の端部を接合し、複数の屈曲部を形成することにより作成された複数の無端状部材から構成され、当該複数の無端状部材を組み合わせて接合することにより、前記試験容器を挿入可能な案内部と、当該案内部の下方に配置され前記試験容器の下端部を載置するための載置部と、から構成される前記試験容器の支持領域を、複数個形成したことを特徴とする。
【００１４】
請求項２に記載の発明は、請求項１に記載の発明において、前記案内部は一辺が前記試験容器の最大外径より大きな略四角形の領域から構成されるとともに、前記載置部は一辺が前記試験容器の最大外径より小さな略四角形の領域から構成される。
【００１５】
請求項３に記載の発明は、請求項２に記載の発明において、同一形状を有する一対の支持用無端状部材間に、同一形状を有する一対の支持領域形成用無端状部材を配置したユニットを、複数個列設する状態で接合する。
【発明の効果】
【００１６】
請求項１に記載の発明によれば、金属製の線材の両端を接合した無端状部材を組み合わせた構成であることから、不織布やゴム手袋が引っ掛かることなく、適正に各種の試験を実行することが可能となる。このとき、試験容器用ラック全体を、耐薬品性および耐久性を有する金属により構成することができることから、滅菌処理を繰り返し実行した場合においても、試験容器用ラックの劣化を防止することが可能となる。
【００１７】
請求項２に記載の発明によれば、線材に対して屈曲部を容易に形成することができ、その製造工程を容易なものとすることが可能となる。
【００１８】
請求項３に記載の発明によれば、二種類の無端状部材を組み合わせたユニットを列設することにより、任意の本数の試験容器を支持可能な試験容器用ラックを構成することが可能となり、その製造コストを安価なものとすることが可能となる。
【図面の簡単な説明】
【００１９】
【図１】この発明に係る試験容器用ラックにより、試験容器としての遠沈管を支持する状態を示す斜視図である。
【図２】支持用無端状部材１を示す図である。
【図３】支持領域形成用無端状部材２を示す図である。
【図４】支持用無端状部材１と支持領域形成用無端状部材２とを組み合わせる状態を示す分解斜視図である。
【図５】金属により構成された従来の試験容器用ラックの斜視図である。
【発明を実施するための形態】
【００２０】
以下、この発明の実施の形態を図面に基づいて説明する。図１は、この発明に係る試験容器用ラックにより、試験容器としての遠沈管９を支持する状態を示す斜視図である。図２は、支持用無端状部材１を示す図である。なお、図２(ａ)は平面図、図２(ｂ)は正面図、図２(ｃ)は側面図である。図３は、支持領域形成用無端状部材２を示す図である。なお、図３(ａ)は平面図、図３(ｂ)は正面図、図３(ｃ)は側面図である。図４は、支持用無端状部材１と支持領域形成用無端状部材２とを組み合わせる状態を示す分解斜視図である。
【００２１】
この実施形態に係る試験容器用ラックは、支持用無端状部材１と支持領域形成用無端状部材２とを組み合わせることにより、試験容器としての遠沈管９を、６本支持可能な構成を有する。すなわち、この試験容器用ラックは、支持用無端状部材１と支持領域形成用無端状部材２のみから構成され、これらの支持用無端状部材１と支持領域形成用無端状部材２を互いの溶接により接合することで作成される。
【００２２】
支持用無端状部材１は、図２に示すように、ステンレス鋼（ＳＵＳ３０４）製の線材の両端部を溶接部３により溶接し、複数の屈曲部を形成することにより作成されている。溶接部３は、研磨等により、線材に対して滑らかな表面を形成するように表面加工されている。
【００２３】
支持領域形成用無端状部材２は、支持用無端状部材１と同様、図３に示すように、ステンレス鋼（ＳＵＳ３０４）製の２本の線材の両端部を溶接部３により溶接し、複数の屈曲部を形成することにより作成されている。溶接部３も、研磨等により、線材に対して滑らかな表面を形成するように表面加工されている。
【００２４】
図４に示すように、一対の支持用無端状部材１間に、一対の支持領域形成用無端状部材２を配置し、それらを溶接することにより、遠沈管９を支持するためのユニットが構成される。そして、この試験容器用ラックは、このユニットを複数個列設する状態で溶接により接合した構成を有する。この実施形態においては、ユニットを２個列設する状態で溶接することにより、６本の遠沈管を支持可能としたものである。
【００２５】
なお、図１において符号７は、支持用無端状部材１と支持領域形成用無端状部材２との溶接位置を示している。また、図１において符号８は、ユニット間（支持領域形成用無端状部材２間）の溶接位置を示している。ただし、代表的な溶接位置にのみ符号を付しているものであり、全ての溶接位置に符号を付しているわけではない。
【００２６】
図１に示すように、一対の支持用無端状部材１間に配置された一対の支持領域形成用無端状部材２により、略四角形の領域から構成される案内部４が形成される。この案内部４は、その一辺が遠沈管９の最大外径より大きな形状を有し、遠沈管９を挿入することが可能となっている。また、一対の支持用無端状部材１間に配置された一対の支持領域形成用無端状部材２により、略四角形の領域から構成される載置部５が形成される。この載置部５は、その一辺が遠沈管９の最大外径より小さな形状を有し、遠沈管９の下端部を載置することが可能となっている。この案内部４と載置部５とから遠沈管９の支持領域が形成される。この実施形態においては、この支持領域が６個、列設された形で形成されていることになる。
【００２７】
以上のように、この発明に係る試験容器用ラックにおいては、金属製の線材の両端を接合した無端状部材を組み合わせた構成であることから、不織布やゴム手袋が引っ掛かることなく、適正に各種の試験を実行することが可能となる。そして、支持用無端状部材１と支持領域形成用無端状部材２のみにより試験容器用ラックを構成していることから、その製造コストを安価なものとすることができる。また、支持用無端状部材１と支持領域形成用無端状部材２から構成されるユニットを必要な数だけ接合することにより、任意の本数の試験容器を支持可能な試験容器用ラックを構成することが可能となる。
【００２８】
このとき、試験容器用ラック全体を、耐薬品性および耐久性を有する金属により構成することができることから、滅菌処理を繰り返し実行した場合においても、試験容器用ラックの劣化を防止することが可能となる。
【００２９】
なお、上述した実施形態においては、支持領域形成用無端状部材２を角状に屈曲させることにより、略四角形の領域からなる案内部４と載置部５とを形成している。しかしながら、この屈曲回数を増加させることにより多角形の領域からなる案内部４と載置部５とを形成してもよい。また、この屈曲部を円弧状に構成することにより、円形の領域からなる案内部４と載置部５とを形成してもよい。ただし、案内部４と載置部５とを略四角形の領域から構成した場合、製造工程が最も簡易となり、製造コストを安価なものとすることが可能となる。
【符号の説明】
【００３０】
１      支持用無端状部材
２      支持領域形成用無端状部材
３      溶接部
４      案内部
５      載置部
７      溶接位置
８      溶接位置
９      遠沈管
【図１】
2018075548.tif 000003
【図２】
2018075548.tif 000004
【図３】
2018075548.tif 000005
【図４】
2018075548.tif 000006
【図５】
2018075548.tif 000007